(57)【要約】【課題】着用者の動きを妨げることなく体型補整効果を得ると共に、バストアップや痩身などの体型の改善効果を効率的に得ることができる痩身衣類を提供する。【解決手段】伸縮性布地によって形成した胴体部１０と左右一対の袖１１、１１とにより上衣を形成し、この上衣に、当て布を一体的に重合して弾性率を高くした高弾性領域２０〜２３を設けて痩身衣類１を形成する。この高弾性領域は、衣類着用時に人体の胸部や背中の所定の領域を覆う形状に形成され、当て布の弾性率を、痩身衣類１の縦方向よりも横方向を高く構成する。【選択図】図３
2008002013.tif 000002
【特許請求の範囲】
【請求項１】
縦方向よりも横方向の弾性率が高い伸縮性布地によって形成した胴体部と、長さ方向よりも周方向の弾性率が高い伸縮性布地によって形成した左右一対の袖とにより上衣を形成し、
この上衣には、伸縮性布地に当て布を取り付けて弾性率を高くした高弾性領域を形成し、
この当て布は、衣類着用時に脇の下から大胸筋の筋腹に至る胸脇領域を覆う形状で、さらに、当て布の弾性率を、上衣の縦方向よりも横方向を高くしたことを特徴とする痩身衣類。
【請求項２】
前記高弾性領域は、前記胸脇領域に加えて、前記胴体部と前記袖との縫製部の一方の近傍から他方の近傍に至る背面上部領域にも、該背面上部領域を覆う当て布を伸縮性布地に取り付けて形成してなり、さらに、この当て布の弾性率を、上衣の縦方向よりも横方向を高くしたことを特徴とする請求項１記載の痩身衣類。
【発明の詳細な説明】
【技術分野】
【０００１】
本発明は、身体の胸部や背中などの表面に密着した状態で着用される痩身衣類に関するものである。
【背景技術】
【０００２】
従来より、着用することにより身体の体型を補整できると共に、姿勢を正しく保つことができる補正用下着が知られている（特許文献１）。しかし、このような補整効果を有する下着などは、伸縮性に乏しい素材で形成されているため、身体の動きを制限してしまう問題があった。
【０００３】
また、着用者の動きを妨げることがないように伸縮性の生地により形成し、さらに部分的に緊締力を強くして両肩が後方へ引張られるように構成して、着用者の背筋を伸ばして姿勢を矯正すると共に、肩などの正しい動きをサポートするアンダーシャツが知られている（特許文献２）。
【０００４】
しかし、このようなアンダーシャツは着用により体型を補整するものではないし、所望の痩身効果を効率的に得ることはできない。
【特許文献１】特開２００３−２３９１０５号公報
【特許文献２】特開２００５−２４８３９１号公報
【発明の開示】
【発明が解決しようとする課題】
【０００５】
着用者が自身の体型の改善を目指し、痩身などの効果を得ることを目的として運動を始める場合、最初は自身の体型や人目が気になるものであるが、運動の際に着用者の動きを妨げるような補整下着を着用することはできない。また、前述のようなアンダーシャツを運動の際に着用しても、効率よく所望の痩身効果を得ることはできない。
【０００６】
すなわち、本発明が解決しようとする課題は、着用することにより、着用者の動きを妨げることなく体型補整効果を得ると共に、バストアップや痩身などの体型の改善効果を効率的に得ることができる痩身衣類を提供することを目的とする。
【課題を解決するための手段】
【０００７】
前記課題を解決するために本発明者は鋭意研究の結果、着用時に身体に密着するように伸縮性布地により形成した上衣の所定の領域に、当て布を取り付けて弾性率を高くした高弾性領域を設け、この当て布の高弾性方向を所定の方向に向けて配置すると、この高弾性領域によって胴体及び腕を締付けることができ、脂肪を圧迫して所定の方向に集めると共に筋肉に適度な負荷をかけられることを知見し本発明に至った。
【０００８】
すなわち、本発明は、請求項１記載のごとく、縦方向よりも横方向の弾性率が高い伸縮性布地によって形成した胴体部と、長さ方向よりも周方向の弾性率が高い伸縮性布地によって形成した左右一対の袖とにより上衣を形成し、この上衣には、伸縮性布地に当て布を取り付けて弾性率を高くした高弾性領域を形成し、この当て布は、衣類着用時に脇の下から大胸筋の筋腹に至る胸脇領域を覆う形状で、さらに、当て布の弾性率を、上衣の縦方向よりも横方向を高くしたことを最も主要な特徴とする。
【０００９】
また、請求項２記載のごとく、前記高弾性領域は、前記胸脇領域に加えて、前記胴体部と前記袖との縫製部の一方の近傍から他方の近傍に至る背面上部領域にも、該背面上部領域を覆う当て布を伸縮性布地に取り付けて形成してなり、さらに、この当て布の弾性率を、上衣の縦方向よりも横方向を高くしたことを特徴とする。
【発明の効果】
【００１０】
請求項１記載のごとく、上衣を形成する伸縮性布地の高弾性方向を胴体の横方向及び袖の周方向に向けて配置したことにより、上衣を胸部や腕などの上体に密着させると共に上体を締め付けて着用者の運動に適度な抵抗を与え、さらに、脇の下から大胸筋の筋腹に至る胸脇領域に当て布を取り付けて高弾性領域に形成し、この当て布の弾性率を上衣の縦方向よりも横方向を高くしたことにより、胸脇領域の脂肪を胸部中央側に集めて体型補整効果を得ることができ、さらに、この胸脇の高弾性領域により大胸筋及び脇の下の前鋸筋に負荷を与えて筋肉量を増加させ、基礎代謝の向上によりエネルギの消費を促進し、優れた痩身効果を得ると共に、バストアップ効果を得ることができる。
【００１１】
請求項２記載のごとく、胴体部と袖との縫製部近傍の一方から他方に至る領域に当て布を取り付けて高弾性領域を形成し、この当て布の弾性率を上衣の縦方向よりも横方向を高くしたことにより、着用者の肩胛骨及び両肩を中心側に引いて胸を張り、姿勢を矯正し、及び体型の補整の効果を得ることができる。
【発明を実施するための最良の形態】
【００１２】
以下、本発明に係る痩身衣類の実施の形態について図１乃至図２を参照して説明する。図１は、本発明にかかる痩身衣類の実施形態を示す正面図であり、図２は、その背面図である。
【００１３】
本発明に係る痩身衣類１は、胸部、腹部、背中部を覆う胴体部１０と、上腕部を覆う一対の袖部１１、１１とから形成した上衣の所定の箇所に当て布を取り付けて構成されている。
図１及び図２に示す本実施形態の痩身衣類１は、胴体部１０が左右の前身頃と三枚の後身頃により形成され、袖部１１、１１が左右の袖により形成される。
【００１４】
左右の前身頃は、左前身頃を上前としてファスナーによってとめる構成となっている。
また、袖部１１、１１はいわゆるラグラン袖に形成されており、胴体部１０と袖部１１、１１との縫製部は、袖ぐり線１１ａ、１１ａが脇の下から肩にかかるように斜めになっている。
【００１５】
背面は、襟１２から縫製部の袖ぐり線１１ａ、１１ａに沿って左右の肩胛骨を覆い、さらに袖ぐり線１１ａ、１１ａの途中部から下方に向かって幅を狭くして裾１３に至る中央の後身頃と、肩胛骨の下方及び脇の下から左右の背中中部ないし背中下部及び脇腹を覆って裾１３に至る左右の後身頃との三枚の後身頃により身体に密着するように構成されている。
【００１６】
胴体部１０及び袖部１１、１１は、一定の布帛伸度と弾性率を有する伸縮性布地により、着用した際に身体に密着するように形成する。本発明に用いられる伸縮性布地は、その弾性率に異方性を有しており、その弾性率が高い方向を高弾性方向Ａとし、弾性率が低い方向を低弾性方向Ｂとする。
【００１７】
図１に示すように、胴体部１０においては、伸縮性布地の高弾性方向Ａを痩身衣類１の横方向に向けて配置し、低弾性方向Ｂを縦方向に向けて配置する。袖部１１、１１においては、高弾性方向Ａを袖部１１、１１の周方向に向けて配置し、低弾性方向Ｂを長さ方向に向けて配置する。
【００１８】
また、伸縮性布地には、その伸度が高弾性方向Ａと低弾性方向Ｂとで同じか、または低弾性方向Ｂよりも高弾性方向Ａの伸度が高いものを使用する。
痩身衣類１を着用した際に生じる弾性力は、伸縮性布地の弾性率と伸張量の積により与えられる。したがって、伸張量が同じであれば、高弾性方向Ａは低弾性方向Ｂよりも大きい弾性力が得られる。
【００１９】
なお、痩身衣類を着用した際の着心地を確保するために、肘を曲げたり伸ばしたりする際の皮膚の伸びに対応して、伸縮性布地の低弾性方向Ｂの伸度は少なくとも４０パーセント程度に構成するのが望ましい。
【００２０】
本実施形態において、これらの伸縮性布地として、繊度が４０デニール又は５０デニールのツーウェイトリコットと呼ばれる伸縮性布地を表地として使用している。
図１及び図２に斜線で示したように、左右の前身頃の襟１３から袖ぐり線１１ａ、１１ａに沿って脇の下に至る部分と、左右の後身頃の背面下部から腰側下部にかけての部分は５０デニールの伸縮性布地により形成している。その他の部分は、４０デニールの伸縮性布地により形成し、これらの二種の生地により上衣の表面に模様を形成している。
【００２１】
上記のごとく、部分的に繊度の異なる伸縮性布地を使用した二枚の前身頃と三枚の後身頃とから上衣を構成することにより、着用者の身体表面に上衣を適合させると共に着用者の動作に対する追従性を向上し、上衣を着用者の身体に確実に密着させる。
【００２２】
図３は、本発明に係る痩身衣類を裏返した状態で示す正面図であり、図４は、本発明に係る痩身衣類を裏返した状態で示す背面図である。
【００２３】
胴体部１０の内の腹部と背中及び袖部１１、１１には、裏地として１４０デニールのパワーネットを使用し、これを表地に重ね合わせて縫製し又は貼り付ける。
胴体部１０の内の胸部には胸パッド１４、１４を取り付け、さらに、左右の袖部１１、１１の袖ぐり線１１ａ、１１ａに沿って襟１２から胸パッド１４、１４の側方を通り脇の下にかけての領域には、裏地として２８０デニールのパワーネットを使用し、これを表地に重ね合わせて縫製し又は貼り付ける。
また、胸パッド１４、１４の間から首にかけての胸央領域２４は表地のみにより構成して弾性率を低くし、着用者の胸部を過度に圧迫しないようにしている。
【００２４】
次に、痩身衣類１に形成される高弾性領域について説明する。
【００２５】
図３及び図４に示すように、上衣の所定の箇所には、伸縮性の当て布を取り付けて弾性率を高く構成した高弾性領域を形成する。この高弾性領域は、上衣を構成する伸縮性布地の表地と裏地の間に当て布を挟み込んで、縫製し又は貼り付けるなどして形成する。
【００２６】
高弾性領域を形成する当て布は、その弾性率に異方性を有し、その弾性率が高い方向を高弾性方向Ｃとし、弾性率が低い方向を低弾性方向Ｄとする。また、当て布の布帛伸度は、高弾性方向Ｃと低弾性方向Ｄとで同じか、または低弾性方向Ｄよりも高弾性方向Ｃの伸度を大きく構成する。
【００２７】
本実施形態の高弾性領域を形成する当て布としては、例えば繊度が２８０デニール又は３２０デニールのパワーネットを使用する。
【００２８】
本実施形態において、高弾性領域は胴体部１０の内の胸部の両脇と背中及び袖部１１、１１に形成されている。
【００２９】
胸部の高弾性領域は、脇の下から左右の胸パッド１４、１４の側方にかけての胸脇領域２０、２０に２８０デニールのパワーネットからなる当て布を取り付けて形成する。この胸脇領域２０、２０は、大胸筋の筋腹を部分的に覆うと共に人体の脇の下にある前鋸筋を覆う領域で、当て布の高弾性方向Ｃは痩身衣類１の略横方向を向くように配置する。
【００３０】
背面の高弾性領域は、袖ぐり線１１ａ、１１ａから始まって肩胛骨を通り、ゆるやかに斜め下方へ伸びて背中中央で合わさる背面上部領域２１に当て布を取り付けて形成する。さらに、背面には、背中下部全体を覆う背面下部領域２２にも高弾性領域を形成する。
背面上部領域２１及び背面下部領域２２を形成する当て布は、図４に示したように、その高弾性方向Ｃが痩身衣類１の略横方向を向くように配置する。
【００３１】
袖部１１、１１の高弾性領域は、上腕の背面側を覆う上腕領域２３、２３に当て布を取り付けて形成する。上腕領域２３、２３を形成する当て布は、図４に示したように、その高弾性方向Ｃが袖部１１の周方向を向くように配置する。
【００３２】
上記のごとく構成した痩身衣類は以下に示す効果を奏する。
【００３３】
上衣を伸縮性布地により形成して身体表面に密着させ、胸脇領域２０、２０に当て布を取り付けて着用者の前鋸筋及び大胸筋の筋腹を覆う高弾性領域を形成し、当て布の高弾性方向Ｃを痩身衣類１の略横方向を向くように配置したことにより、この当て布によって胸脇の脂肪を中央側に寄せてバストアップなどの体型補整効果を得ると共に、前鋸筋及び大胸筋を圧迫して負荷を与えてエネルギの消費を促進し、優れた痩身効果を得ることができる。
【００３４】
また、上衣を形成する伸縮性布地の高弾性方向Ａを胴体部１０の横方向及び袖１１、１１の周方向に向けて配置したことにより、着用時に胸部や腕を締め付けるようにして圧迫し、着用者の動きに抵抗を与えることで継続的に負荷をかけてエネルギの消費を促進し、優れた痩身効果を得ることができる。
【００３５】
背面上部領域２１に当て布を取り付けて、胴体部１０と袖１１、１１との縫製部の一方の近傍から他方の近傍に至る高弾性部を形成し、当て布の高弾性方向Ｃを痩身衣類１の横方向を向くように配置したことにより、着用者の両肩を中心側に引張り、胸を張るようにして姿勢を正すことで体型を美しく見せると共に、胸を張ることにより前鋸筋及び大胸筋をより強く圧迫して負荷を与え、エネルギの消費を促進して優れた痩身効果を得ることができる。
【００３６】
背面下部領域２２に当て布を取り付けて、着用者の背中下部を覆う高弾性領域を形成し、当て布の高弾性方向Ｃを痩身衣類１の横方向を向くように配置したことにより、着用者の背中下部を引き締めて圧迫し、腰回りを細く見せると共に、負荷をかけることによりエネルギの消費を促進して優れた痩身効果を得ることができる。
【００３７】
袖部１１、１１の上腕領域２３に当て布を取り付けて、着用者の上腕三頭筋を覆う高弾性領域を形成し、当て布の高弾性方向Ｃを袖部１１、１１の周方向を向くように配置したことにより、着用者の上腕三頭筋を引き締めて圧迫し、腕を細く見せると共に、負荷をかけることによりエネルギの消費を促進して優れた痩身効果を得ることができる。
【００３８】
また、胸パッド１４、１４の間の胸央領域２４を４０デニールの伸縮性布地のみによって弾性力を低く形成したことにより、胸脇領域２０、２０により中央側に脂肪を寄せやすく、また胸部を過剰に圧迫することが無く、バストアップなどの体型補整効果を効率的に得ると共に着心地に優れる。
【００３９】
本実施形態において、痩身衣類１は、上衣を表地と裏地とにより形成し、これらの間に当て布を挟み込み、さらに胸パッドを取り付けて素肌に直に着用することができるように構成され、水着として水中で使用することもできるものである。
一方、胸パッドを取り付けず、肌着などの上に着用するように構成することもできる。この場合、男性用としても使用することができる。
【００４０】
また、本実施形態の痩身衣類１に使用される伸縮性布地や当て布として、スリミッシュ（富士紡ホールディングス株式会社  登録商標）加工を施した生地を用いると、さらに優れた痩身効果が期待できる。
【００４１】
なお、本実施形態の痩身衣類１には、人体の胸部、背中上部、背中下部及び上腕部に対応する部位に所定の形状の当て布を取り付けて高弾性領域を形成しているが、本発明の痩身衣類に形成される高弾性領域の形状は上記実施形態に限定されるものではなく、本発明の趣旨を逸脱しない範囲で種々の変形や応用が可能である。
【図面の簡単な説明】
【００４２】
【図１】本発明に係る痩身衣類の実施形態を示す正面図である。
【図２】本発明に係る痩身衣類の実施形態を示す背面図である。
【図３】本発明に係る痩身衣類を裏返した状態で示す正面図である。
【図４】本発明に係る痩身衣類を裏返した状態で示す背面図である。
【符号の説明】
【００４３】
１      痩身衣類
１０    胴体部
１１    袖部
１１ａ  袖ぐり線
１２    襟
１３    裾
１４    胸パッド
２０    胸脇領域
２１    背面上部領域
２２    背面下部領域
２３    上腕領域
２４    胸央領域
Ａ、Ｃ  高弾性方向
Ｂ、Ｄ  低弾性方向
【図１】
2008002013.tif 000003
【図２】
2008002013.tif 000004
【図３】
2008002013.tif 000005
【図４】
2008002013.tif 000006